(57)【要約】【課題】電子部品が搭載される制御基板の組立作業性を向上する。【解決手段】電動工具であるインパクトドライバ１０ａは、モータ１５により先端工具を駆動する。インパクトドライバ１０ａは、モータ１５が組み込まれるハウジング本体１１と、部品搭載面３１に実装素子３２が搭載され、ハウジング本体１１内に配置される制御基板２２とを有する。実装素子３２はキャップ４０により覆われ、制御基板２２の露出面は熱硬化性の樹脂シート４１により覆われる。【選択図】図２
2016124048.tif 000002
【特許請求の範囲】
【請求項１】
モータにより先端工具を駆動する電動工具であって、
前記モータが組み込まれるハウジング本体と、
部品搭載面に実装素子が搭載され、前記ハウジング本体内に配置される制御基板と、
前記実装素子を覆うキャップと、
前記制御基板の露出面を覆う樹脂シートと、を有し、
前記制御基板の表面を前記キャップと前記樹脂シートにより覆う、電動工具。
【請求項２】
前記キャップの開口端面を前記部品搭載面に突き当て、前記樹脂シートを前記キャップの外周面に当接する、請求項１記載の電動工具。
【請求項３】
前記樹脂シートを前記実装素子の外周面に突き当てて、前記制御基板の露出面を前記樹脂シートにより覆い、前記キャップの開口端面を前記樹脂シートに当接する、請求項１記載の電動工具。
【請求項４】
前記実装素子と前記キャップとの間に中間樹脂シートを配置する、請求項２または３記載の電動工具。
【請求項５】
前記制御基板の両方の表面に前記実装素子が搭載され、それぞれの前記実装素子を前記キャップにより覆う、請求項１〜４のいずれか１項に記載の電動工具。
【請求項６】
前記樹脂シートの厚さは、０．１５〜１．５ｍｍである、請求項１〜５のいずれか１項に記載の電動工具。
【請求項７】
前記制御基板を前記モータに固定する、請求項１〜６のいずれか１項に記載の電動工具。
【請求項８】
前記制御基板の外周部に前記樹脂シートが被覆されない露出部を設け、前記ハウジング本体に設けられた係合部材に前記露出部を係合し、前記制御基板を前記ハウジング本体に固定する、請求項１〜６のいずれか１項に記載の電動工具。
【請求項９】
前記制御基板に接続されるリード線の接続部を粘性樹脂により覆う、請求項１〜８のいずれか１項に記載の電動工具。
【請求項１０】
前記粘性樹脂の外周面を被覆用の樹脂シートにより覆う、請求項９記載の電動工具。
【請求項１１】
前記制御基板に搭載される複数の前記実装素子をそれぞれ覆う前記キャップの間に、冷却風が流れる通路を形成した、請求項１〜１０のいずれか１項に記載の電動工具。
【請求項１２】
前記実装素子は、前記モータの駆動を制御するスイッチング素子である、請求項１〜１１のいずれか１項に記載の電動工具。
【発明の詳細な説明】
【技術分野】
【０００１】
本発明は、モータにより先端工具を駆動するようにした電動工具に関する。
【背景技術】
【０００２】
モータを駆動源として先端工具を駆動する電動工具には、ドライバドリル、インパクトドライバ、ハンマドリル、丸鋸盤、およびグラインダ等がある。ドライバドリルは、先端工具としてのドライバビットを回転駆動して被駆動部材のねじ締め作業や穴あけ作業を行うために使用する電動工具である。インパクトドライバは、先端工具に打撃力つまりインパクトを与えるようにした電動工具である。ハンマドリルは、打撃工具とも言われ、コンクリートな石材等を作業対象物として、これに穴あけ加工等を行うために使用される。丸鋸盤は、円盤形のカッターを先端工具として木材等を切断するために使用される電動工具である。さらに、グラインダは、砥石を先端工具として、作業対象物を研削するために使用される電動工具である。
【０００３】
このような電動工具には、二次電池の電力によりモータを駆動するようにしたタイプと、商用電源からの電力によりモータを駆動するようにしたタイプがある。先端工具の回転速度を変化させるようにした電動工具においては、モータを駆動するためのインバータ回路が制御基板に搭載され、制御基板は電動工具のハウジング内に組み込まれる。インバータ回路は、複数のスイッチング素子を有しており、特許文献１には、制御基板がモータの背面側に配置された電動工具が記載されている。
【先行技術文献】
【特許文献】
【０００４】
【特許文献１】特開２０１２−１３９７８３号公報
【発明の概要】
【発明が解決しようとする課題】
【０００５】
三相ブラシレスモータが用いられる電動工具においては、特許文献１に記載されるように、モータの回転を制御するためのインバータ回路には、６つのスイッチング素子が搭載される。スイッチング素子等の電子部品つまり実装素子は、従来では、制御基板を補強するために、液状またはゲル状の流動性を有し、乾燥硬化する粘性樹脂つまり接着剤により覆うようにしている。
【０００６】
実装素子が搭載された制御基板の部品搭載面を粘性樹脂により覆うには、ノズルから粘性樹脂を吐出させながらノズルを移動させて、粘性樹脂を制御基板の表面つまり制御基板露出面と電子部品の露出面とを覆うように粘性樹脂を塗布する。このように、ノズルから粘性樹脂を塗布するようにすると、粘性樹脂の塗布に時間がかかり、制御基板の組立作業性を高めることができない。また、制御基板に覆われる粘性樹脂の厚みが粘性樹脂の塗布部位により相違することになり、スイッチング素子等の電子部品つまり実装素子の放熱性が部品毎に相違することになる。
【０００７】
本発明の目的は、実装素子が搭載される制御基板の組立作業性を向上することにある。
【０００８】
本発明の他の目的は、制御基板に搭載される実装素子の放熱性を高めることにある。
【課題を解決するための手段】
【０００９】
本発明の電動工具は、モータにより先端工具を駆動する電動工具であって、前記モータが組み込まれるハウジング本体と、部品搭載面に実装素子が搭載され、前記ハウジング本体内に配置される制御基板と、前記実装素子を覆うキャップと、前記制御基板の露出面を覆う樹脂シートと、を有し、前記制御基板の表面を前記キャップと前記樹脂シートにより覆う。
【発明の効果】
【００１０】
電子部品が搭載され電動工具に設けられる制御基板の組立作業性を向上することができる。電子部品の放熱性を向上させることができる。
【図面の簡単な説明】
【００１１】
【図１】電動工具としての一実施の形態であるインパクトドライバを示す一部切り欠き側面図である。
【図２】図１の一部を示す拡大側面図である。
【図３】図２に示された制御基板の正面図である。
【図４】比較例として示す従来のインパクトドライバの一部を示す拡大側面図である。
【図５】他の実施の形態のインパクトドライバを示す一部切り欠き側面図である。
【図６】さらに他の実施の形態のインパクトドライバを示す一部切り欠き側面図である。
【図７】図６の一部を示す拡大側面図である。
【図８】図７に示された制御基板の底面図である。
【図９】さらに他の実施の形態のインパクトドライバを示す一部切り欠き側面図である。
【図１０】図９の一部を示す拡大側面図である。
【図１１】さらに他の実施の形態のインパクトドライバを示す一部切り欠き側面図である。
【図１２】図１１の一部を示す拡大側面図である。
【図１３】制御基板の変形例を示す断面図である。
【図１４】制御基板の他の変形例を示す断面図である。
【図１５】制御基板のさらに他の変形例を示す断面図である。
【図１６】制御基板のさらに他の変形例を示す斜視図である。
【図１７】図１６の断面図である。
【図１８】電動工具としてのハンマドリルを示す一部切り欠き側面図である。
【図１９】図１８の一部を示す拡大断面図である。
【図２０】電動工具としての丸鋸盤を示す一部切り欠き平面図である。
【図２１】図２０の一部を示す拡大断面図である。
【図２２】電動工具としてのグラインダを示す一部切り欠き側面図である。
【図２３】図２２に示された制御基板の断面図である。
【図２４】制御基板の製造方法の一例を示す概略図である。
【図２５】図２４の製造方法により製造された制御基板を示す断面図である。
【図２６】制御基板の製造方法の他の例を示す概略図である。
【図２７】図２６の製造方法により製造された制御基板を示す断面図である。
【図２８】制御基板の製造方法のさらに他の例を示す概略図である。
【図２９】図２８の製造方法により製造された制御基板を示す断面図である。
【発明を実施するための形態】
【００１２】
以下、本発明の実施の形態を図面に基づいて詳細に説明する。それぞれの図においては、共通する部材には同一の符号が付されており、重複した説明は省略されている。
【００１３】
図１〜図３に示される電動工具としてのインパクトドライバ１０ａは、ハウジング本体１１を有している。ハウジング本体１１は、作業者により把持されるハンドル部１２と、ハンドル部１２の一端に設けられる駆動部ハウジング１３と、ハンドル部１２の他端部に設けられるバッテリ接続部１２ａとを備え、バッテリ接続部１２ａにはバッテリパック１４が接続されている。ハウジング本体１１を構成する駆動部ハウジング１３の後端部内には、モータ１５が組み込まれている。モータ１５は三相ブラシレスモータであり、円筒形状のステータ１６を有し、ステータ１６にはＵ相、Ｖ相およびＷ相の巻線が設けられている。
【００１４】
ステータ１６の内部には、図示しないモータ主軸が軸方向に貫通しており、モータ主軸には、複数の永久磁石を有するロータが取り付けられている。駆動部ハウジング１３の先端にはアンビル１７が突出しており、アンビル１７には先端工具としてのドリルビットが着脱自在に装着される。アンビル１７とモータ１５の間には、図示しない回転打撃機構が組み込まれており、回転打撃機構により、アンビル１７に装着される先端工具には、回転力と衝撃力とが加えられる。
【００１５】
モータ１５と回転打撃機構とを収容する駆動部ハウジング１３については、モータ１５が収容される部分を駆動部ハウジング１３の後端部とし、アンビル１７が設けられた部分を先端部とする。ハウジング本体１１を構成する駆動部ハウジング１３には、モータ１５の後方側に位置させて複数の通気孔１８ａが設けられ、モータ１５の前方側に位置させて複数の通気孔１８ｂが設けられている。それぞれの通気孔１８ａ，１８ｂを介して駆動部ハウジング１３内は外部と連通しており、モータ１５により駆動されるファン１９が駆動部ハウジング１３内にモータ１５の前方に位置させて設けられている。このファン１９により、矢印で示すように、通気孔１８ａからハウジング本体１１内に流入し、通気孔１８ｂから外部に排出される冷却風がハウジング本体１１内に生成される。ハンドル部１２には作業者により操作されるトリガー２０が設けられており、このトリガー２０の操作により、モータ１５がオンオフされる。
【００１６】
ステータ１６の後端面にはインシュレータ２１を介して制御基板２２がねじ部材２３により固定されており、制御基板２２には、図３に示されるように、モータ１５のモータ主軸が貫通する貫通孔２４が設けられている。ファン１９により生成される冷却風は、モータ１５の外周面に沿って流れるとともに、図３に矢印で示すように、貫通孔２４に流入してロータとステータとの間の隙間を通ってモータ１５を冷却し、外部に排出される。
【００１７】
制御基板２２の外面は部品搭載面３１となっており、部品搭載面３１には複数の実装素子３２が搭載されている。実装素子３２は、モータ１５の駆動を制御するためのインバータ回路を構成するスイッチング素子であり、制御基板２２はモータ駆動用のインバータ制御基板となっている。インバータ回路を構成する実装素子３２として、図３に示されるように、制御基板２２の外面つまり部品搭載面３１に６つのスイッチング素子が搭載されている。制御基板２２の内面も部品搭載面３３となっており、内面にはホール素子からなる図示しない位置検出センサが設けられている。位置検出センサはロータに設けられた永久磁石の位置に応じて検出信号を出力し、位置検出センサの検出信号に基づいて、スイッチング素子によりステータの巻線に対する通電タイミングが制御される。
【００１８】
制御基板２２にはリード線３４と信号線３５が接続されており、リード線３４はトリガー２０により作動するトリガースイッチの接続端子に接続される。また、信号線３５は図示しない通電制御基板に接続されている。通電制御基板は、モータ１５の速度を制御する機能を有しており、ハンドル部１２の下端部内に組み込まれている。通電制御基板にはマイクロプロセッサ、インバータに制御信号を送る出力回路等が搭載され、マイクロプロセッサにはトリガースイッチの信号および位置検出センサの信号が送られる。このように、ハウジング本体１１内には、インバータ回路を構成するインバータ制御基板としての駆動制御基板である制御基板２２と、インバータに制御信号を送る通電制御基板とが組み込まれている。
【００１９】
実装素子３２は部品搭載面３１に搭載され、実装素子３２の接続端子が制御基板２２に形成された回路配線パターンに溶接される。部品搭載面３１の露出面と実装素子３２の外面とにより、制御基板２２の表面が形成される。
【００２０】
実装素子３２はキャップ４０により覆われており、キャップ４０は熱硬化性樹脂により形成されており、実装素子３２の表面と側面とを覆い、断面Ｕ字形状となっている。図２に示されるように、キャップ４０の開口端面４０ａは制御基板２２の部品搭載面３１に突き当てられている。制御基板２２の部品搭載面３１のうち実装素子３２が搭載されない露出面は、樹脂シート４１により覆われる。樹脂シート４１はキャップ４０の外周面の開口端面４０ａ側の部分に当接している。これにより、制御基板２２の表面は、実装素子３２を覆うキャップ４０と露出面を覆う樹脂シート４１とにより覆われ、実装素子３２の制御基板２２に対する取付強度が高められる。
【００２１】
樹脂シート４１は、厚さが０．１５〜１．５ｍｍの厚さであり、例えば、５ｍｍ程度の最大高さ寸法を有するスイッチング素子である実装素子３２に比して、薄い均一の厚みとなっている。また、キャップ４０も樹脂シート４１と同様の厚さである。このように、制御基板２２の表面は、ほぼ均一の厚さのキャップ４０と樹脂シート４１により覆われるので、実装素子３２の発熱を効率的に放熱することができる。図３に示されるように、制御基板２２をねじ部材２３によりモータ１５に固定するようにした形態においては、制御基板２２の部品搭載面３１の外周部には、樹脂シート４１により覆われることなく露出され、外周部は露出部となっている。モータやハウジングで支持される制御基板２２の部分を樹脂シート４１で被覆しないことで、ねじ部材で固定する場合や電動工具の振動によって樹脂シート４１が相手部材（ねじ部材や後述するリブ等）と擦れて剥がれることを抑制することができる。ただし、部品搭載面３１の外周部までを樹脂シート４１により覆って、ねじ部材２３の頭部を樹脂シート４１に当接させるようにする形態としても良い。
【００２２】
６つの実装素子３２は相互に離れた状態となって制御基板２２に搭載されており、実装素子３２を覆うキャップ４０相互の側面間には、キャップ４０を介して冷却風の通路４２が形成されるので、通路４２を流れる冷却風によって実装素子３２の冷却効率を向上させることができる。
【００２３】
図４は比較例として示す従来のインパクトドライバの一部を示す側面図であり、図４には、図２と同様の部分が示されている。
【００２４】
図４に示されるように、従来では、スイッチング素子からなる実装素子３２が搭載された制御基板２２の表面を、粘性樹脂４３により覆うようにしている。粘性樹脂４３は、ノズルから吐出されて表面に塗布されており、均一の厚みで表面を覆うことができないだけでなく、実装素子３２の間の空間にも粘性樹脂４３が埋め込まれることになり、実装素子相互間には通路を形成することができない。このため、粘性樹脂４３の塗布に時間がかかり、制御基板２２の組立製造に時間がかかるだけでなく、実装素子の放熱性を高めることができない。これに対し、図１〜図３に示されるように、制御基板２２の表面をほぼ均一の厚さのキャップ４０と樹脂シート４１により覆うようにすると、全ての実装素子３２の放熱性を高めることができる。また、従来のように粘性樹脂４３で実装素子３２や制御基板２２を覆う場合、実装素子３２と制御基板２２との接続部分に気泡が入り易く（隙間ができ易く）、そこから樹脂が剥がれ易くなってしまう。これに対し、本実施の形態のように、キャップ４０を実装素子３２に被せることで、実装素子３２と制御基板２２との接続部分にキャップ４０の開口端部側４０ａが位置するため隙間ができ難く、そこから樹脂シート４１が剥がれてしまうことを抑制することができる。
【００２５】
図５は本発明の電動工具であるインパクトドライバの他の実施の形態を示す一部切り欠き側面図である。
【００２６】
このインパクトドライバ１０ｂにおいては、制御基板２２がモータ１５の前端面にインシュレータ２１を介して固定される。ファン１９はモータ１５の後方に位置させて駆動部ハウジング１３内に配置され、このファン１９により、矢印で示すように、通気孔１８ｂからハウジング本体１１内に流入し、通気孔１８ａから外部に排出される冷却風がハウジング本体１１内に生成される。このように、冷却風の流れ方向は、図１に示されるインパクトドライバ１０ａとは逆方向となっている。
【００２７】
図１に示したインパクトドライバ１０ａにおいては、制御基板２２がモータ１５の後端面に固定されているのに対し、図５に示されるインパクトドライバ１０ｂにおいては、制御基板２２がモータ１５の前端面に取り付けられ、部品搭載面３１は駆動部ハウジング１３の前方を向いている。制御基板２２の構造は、図１に示したものと同様である。
【００２８】
図６はさらに他の実施の形態であるインパクトドライバを示す一部切り欠き側面図である。図７は図６の一部を示す拡大側面図であり、図８は図７に示された制御基板を示す底面図である。
【００２９】
このインパクトドライバ１０ｃにおいては、制御基板２２がモータ１５の外周面にステータ１６の下側つまりハンドル部１２側に位置させて配置される。モータ１５には支持フレーム２５が取り付けられており、この支持フレーム２５に制御基板２２がねじ部材２３により固定されている。支持フレーム２５の内部には通気流路３６が形成されている。なお、支持フレーム２５を設けず、駆動ハウジング１３の内側にリブを設けて制御基板２２を支持するようにしても良い。ファン１９により生成されて、矢印で示すように、通気孔１８ｂからハウジング本体１１内に流入し、通気孔１８ａから外部に排出される冷却風は、通気流路３６にも流れる。通気流路３６を流れる冷却風は、制御基板２２の内面に沿って流れて、制御基板２２を冷却する。制御基板２２に沿って流れる冷却風は、貫通孔２４を貫通して制御基板２２の部品搭載面３１側にも供給されて、実装素子３２も冷却する。
【００３０】
制御基板２２の部品搭載面３１にはスイッチング素子である実装素子３２が複数搭載されている。実装素子３２はキャップ４０により覆われ、制御基板２２の部品搭載面３１のうち実装素子３２が搭載されない露出面は、樹脂シート４１により覆われる。樹脂シート４１はキャップ４０の外周面の開口端面４０ａ側の部分に当接している。ただし、この形態のインパクトドライバ１０ｃにおける制御基板２２の内面には、位置検出センサは搭載されていない。この場合、センサレス方式によってステータの巻線に対する通電タイミングが制御される。
【００３１】
図９はさらに他の実施の形態であるインパクトドライバを示す一部切り欠き側面図であり、図１０は図９の一部を示す拡大側面図である。
【００３２】
このインパクトドライバ１０ｄにおいては、制御基板２２がハンドル部１２内に配置されている。ハンドル部１２内には制御基板２２を外周部で把持する係合部材２６が取り付けられている。なお係合部材２６はハンドル部１２の内側に設けられたリブでも良い。駆動部ハウジング１３内の空間はハンドル部１２内の空間と連通しており、ハンドル部１２には内部空間と連通する通気孔１８ｃが設けられている。したがって、ファン１９により駆動部ハウジング１３内に冷却風が生成されると、その冷却風に吸引されて、通気孔１８ｃからハンドル部１２内に冷却風が流入する。流入した冷却風は、矢印で示すように、制御基板２２の両表面に沿って流れて制御基板２２を冷却する。
【００３３】
図１０に示されるように、制御基板２２の部品搭載面３１には実装素子３２として上述したスイッチング素子が搭載され、反対側の部品搭載面３３には他の実装素子３７が搭載される。実装素子３２はキャップ４０により覆われ、制御基板２２の部品搭載面３１のうち実装素子３２が搭載されない露出面は、樹脂シート４１により覆われる。一方、部品搭載面３３は樹脂シート４１により覆われている。比較的高さ寸法が小さい実装素子３７については、キャップにより覆うことなく、部品搭載面３３を樹脂シート４１のみにより覆うことができる。ただし、実装素子３７についても、実装素子３２と同様に、キャップ４０により覆うようにしても良い。このように、部品搭載面３３に実装素子３７が搭載された制御基板２２は、その両方の表面に、樹脂シート４１が被覆される。この実装素子３７は、例えば、スイッチング素子を制御するマイクロプロセッサである。通電制御基板に搭載した実装素子を制御基板２２に搭載することができる。
【００３４】
図１１はさらに他の実施の形態であるインパクトドライバを示す一部切り欠き側面図であり、図１２は図１１の一部を示す拡大側面図である。
【００３５】
このインパクトドライバ１０ｅは、制御基板２２がハンドル部１２の端部のバッテリ接続部１２ａに配置されている。ハンドル部１２（バッテリ接続部１２ａ）内には、図１２に示されるように、係合リブ２７が設けられ、係合リブ２７には基板ケース２８が取り付けられており、バッテリ接続部１２ａに設けられたバッテリ端子部２９が基板ケース２８に突き当てられる。
【００３６】
ハンドル部１２（バッテリ接続部１２ａ）には通気孔１８ｄが設けられている。したがって、ファン１９により駆動部ハウジング１３内に冷却風が生成されると、その冷却風に吸引されて、通気孔１８ｄからハンドル部１２（バッテリ接続部１２ａ）内に冷却風が流入する。流入した冷却風は、矢印で示すように、制御基板２２の両表面に沿って流れて制御基板２２を冷却する。
【００３７】
図１２に示されるように、制御基板２２の部品搭載面３１には実装素子３２として上述したスイッチング素子とコンデンサ３８とが搭載され、反対側の部品搭載面３３には他の実装素子３７（例えばマイクロプロセッサ）が搭載される。実装素子３２とコンデンサ３８はキャップ４０により覆われ、制御基板２２の部品搭載面３１のうち実装素子３２が搭載されない露出面は、樹脂シート４１により覆われる。一方、部品搭載面３３は、図９および図１０に示したインパクトドライバ１０ｄと同様に、樹脂シート４１により覆われている。
【００３８】
上述のように、インパクトドライバにおける制御基板２２の配置形態には、制御基板２２がモータ１５の背面側に配置されるインパクトドライバ１０ａと、モータ１５の前面側に配置されるインパクトドライバ１０ｂと、モータ１５の外周面に配置されるインパクトドライバ１０ｃとがある。さらに、ハンドル部１２の中央部に制御基板２２が配置されるインパクトドライバ１０ｄと、ハンドル部１２のバッテリ接続部１２ａに制御基板２２が配置されるインパクトドライバ１０ｅとがある。いずれのインパクトドライバにおいても、制御基板２２は冷却風にさらされた状態となっており、制御基板２２に搭載されるスイッチング素子等の実装素子３２，３７は、冷却風により冷却される。しかも、実装素子３２はキャップ４０により覆われ、制御基板２２の表面は薄い樹脂シート４１により覆われるので、図４に示したように、粘性樹脂４３を制御基板２２の表面に塗布する場合に比して、実装素子の放熱性を高めることができる。また、粘性樹脂４３を制御基板２２の表面に塗布する場合に比して、制御基板２２の組立作業性を向上することができる。
【００３９】
図１３〜図１７は、それぞれ制御基板２２の変形例を示す。図１３に示される制御基板２２は、リード線３４の接続端子３４ａが部品搭載面３１から突出しており、信号線３５の接続端子３５ａも部品搭載面３１から突出している。リード線３４と信号線３５は、制御基板２２の部品搭載面３３側から制御基板２２の貫通孔を貫通して制御基板２２に取り付けられている。実装素子３２はキャップ４０により覆われており、それぞれの接続端子３４ａ，３５ａは、制御基板２２の部品搭載面３１のうち実装素子３２が搭載されていない露出面を含めて、樹脂シート４１により覆われている。したがって、樹脂シート４１を制御基板２２の表面に装着する操作によって、接続端子３４ａ，３５ａも樹脂シート４１により覆われる。図１３は、ハウジング本体１１に設けられた係合リブ２７に取り付けられる形態の制御基板２２を示す。
【００４０】
図１４に示される制御基板２２においては、図１３に示されたリード線３４の接続端子３４ａと信号線３５の接続端子３５ａを樹脂シート４１により覆うようにした形態であるのに対して、それぞれの接続部つまり接続端子３４ａ，３５ａが粘性樹脂４５により覆われている。さらに、部品搭載面３３にも、リード線３４と信号線３５の接続部を覆うように粘性樹脂４５が塗布されている。
【００４１】
図１５に示される制御基板２２においては、図１４に示された粘性樹脂４５の外側は被覆用の樹脂シート４１により覆われている。このように、粘性樹脂４５と樹脂シート４１とをリード線３４と信号線３５に付着すると、これらの接続強度をより高めることができる。
【００４２】
図１６は制御基板のさらに他の変形例を示す斜視図であり、図１７は図１６の断面図である。
【００４３】
この制御基板２２の表面には、図３に示した制御基板２２と同様に、実装素子３２であるスイッチング素子は、キャップ４０により覆われ、制御基板２２の部品搭載面３１のうち実装素子３２が搭載されない露出面は、樹脂シート４１により覆われる。樹脂シート４１には２つのヒートシンクつまり放熱部材４４が取り付けられている。放熱部材４４は金属製であり、底壁部４４ａと天壁部４４ｂとこれらに一体となった側壁部４４ｃとからなり、断面がコの字形状となっており、凹溝４４ｄを有している。２つの放熱部材４４はそれぞれの凹溝４４ｄが対向するように、制御基板２２の外周部に平行となって取り付けられており、両方の放熱部材４４の間で冷却風を案内する流路が形成される。放熱部材４４は樹脂シート４１に対して接着剤により固定するか、または制御基板２２に取り付けられるねじ部材により固定される。
【００４４】
このように、制御基板２２に放熱部材４４を取り付けると、スイッチング素子の放熱性をより高めることができる。放熱部材４４の形状としては、図示される形状のみならず、例えば、天壁部４４ｂを有しておらず、横断面形状がＬ字形状の放熱部材としても良く、底壁部４４ａのみを有する板状の放熱部材としても良い。制御基板２２の両方の表面を樹脂シート４１により覆うようにした形態においては、両方の表面に放熱部材４４を取り付けるようにしても良い。
【００４５】
図１８は電動工具としてのハンマドリルを示す一部切り欠き側面図であり、図１９は図１８の一部を示す拡大断面図である。
【００４６】
このハンマドリル１０ｆのハウジング本体１１は、先端工具が装着される先端キャップ５１が設けられた駆動部ハウジング１３を有し、駆動部ハウジング１３内には、先端工具に衝撃力を加えて回転駆動するための打撃機構が設けられている。駆動部ハウジング１３にはモータハウジング５２が設けられており、モータハウジング５２にはモータ１５が組み込まれている。駆動部ハウジング１３の後端部とモータハウジング５２の下端部との間には、後ハンドル部１２ａが設けられ、駆動部ハウジング１３の先端部には前ハンドル部１２ｂが設けられている。駆動部ハウジング１３、モータハウジング５２等によりハンマドリル１０ｆのハウジング本体１１が構成される。なお、本実施の形態のハンマドリル１０ｆは商用電源からの電力供給を受けて駆動する構成である。そのため、交流電圧を整流するための整流回路（例えばダイオードブリッジ回路）が必要となり、スイッチング素子よりも大きな実装素子３２が制御基板２２に搭載される。
【００４７】
モータハウジング５２にはモータ主軸５３に略平行となって制御基板２２が固定され、制御基板２２の部品搭載面３１には実装素子３２としてスイッチング素子や整流回路が搭載される。実装素子３２はキャップ４０により覆われ、制御基板２２の部品搭載面３１のうち実装素子３２が搭載されない露出面は、樹脂シート４１により覆われる。モータハウジング５２に取り付けられるカバー５４には通気孔１８ｅが設けられており、モータハウジング５２の上端部には通気孔１８ｆが設けられている。なお、カバー５４はモータハウジング５２やハンドル部１２と一体に設けても良い。モータ主軸５３に取り付けられたファン１９により、通気孔１８ｅから流入して通気孔１８ｆから外部に排出される冷却風がハウジング本体１１内に生成される。冷却風は、矢印で示すように、制御基板２２に沿って流れるとともに、制御基板２２に搭載された実装素子３２に沿って流れる。これにより、制御基板２２に搭載される実装素子３２が冷却される。
【００４８】
図１８および図１９に示した制御基板２２の内面側には実装素子は搭載されておらず、外面側の部品搭載面３１にのみ実装素子が搭載されている。制御基板２２は、図１４に示したものと同様に、リード線３４と信号線３５の接続端部には粘性樹脂４５が塗布されている。
【００４９】
図２０は電動工具としての丸鋸盤を示す一部切り欠き平面図であり、図２１は図２０の一部を示す拡大断面図である。
【００５０】
丸鋸盤１０ｇは、基台５５に設けられた支持軸５６に揺動アーム５７が揺動自在に装着され、揺動アーム５７に取り付けられたモータハウジング５２内にはモータ１５が組み込まれている。モータ主軸５３は図示しない円盤状のカッターが取り付けられており、カッターは揺動アーム５７に設けられたブレードカバー５８内に配置されている。モータ１５のステータ１６の後端面には、インシュレータ２１を介して制御基板２２が取り付けられている。制御基板２２の部品搭載面３１には実装素子３２としてスイッチング素子が搭載され、実装素子３２はキャップ４０により覆われ、制御基板２２の部品搭載面３１のうち実装素子３２が搭載されない露出面は、樹脂シート４１により覆われる。
【００５１】
モータハウジング５２の後端部に取り付けられたカバー５４には通気孔１８ｅが設けられ、モータハウジング５２の先端部には通気孔１８ｆが設けられている。モータ主軸５３に取り付けられたファン１９により、通気孔１８ｅから流入して通気孔１８ｆから外部に排出される冷却風がモータハウジング５２内に生成される。冷却風は、矢印で示すように、制御基板２２に沿って流れるとともに、モータ１５とモータハウジング５２の間の冷風通路を流れる。これにより、制御基板２２に搭載される実装素子とモータ１５が冷却される。
【００５２】
制御基板２２は、図３および図８に示されるものと同様に、中央部には貫通孔２４が形成されており、モータ主軸５３が貫通孔２４を貫通する。したがって、矢印で示すように、冷却風は、貫通孔２４からインシュレータ２１内に流入してステータ１６の内周面を通過し、モータ１５が冷却される。
【００５３】
図２２は電動工具としてのグラインダを示す一部切り欠き側面図であり、図２３は図２２に示された制御基板の断面図である。
【００５４】
このグラインダ１０ｈは、モータ１５が組み込まれるハウジング本体１１を有し、ハウジング本体１１の先端部には工具ヘッド６１が設けられている。工具ヘッド６１にはグラインダ６２が着脱自在に取り付けられており、グラインダ６２はモータ１５のモータ主軸５３により歯車機構を介して回転駆動される。ハウジング本体１１内には、基板ケース２８が取り付けられ、基板ケース２８には制御基板２２が固定される。制御基板２２の一方の部品搭載面３１には実装素子３２が搭載され、他方の部品搭載面３３には実装素子３７が搭載される。実装素子３２はキャップ４０により覆われ、制御基板２２の部品搭載面３１のうち実装素子３２が搭載されない露出面は、樹脂シート４１により覆われる。一方、部品搭載面３３は樹脂シート４１により覆われている。比較的高さ寸法が小さい実装素子３７については、キャップにより覆うことなく、部品搭載面３３を樹脂シート４１のみにより覆うことができる。ただし、実装素子３７についても、実装素子３２と同様に、キャップ４０により覆うようにしても良い。高さ寸法が大きい実装素子３２を粘性樹脂で覆う場合、実装素子３２と制御基板２２の接続部分に隙間ができ易いが、キャップ４０で覆うことにより当該接続部分にキャップ４０の開口端部が位置するため、隙間ができ難く、樹脂シート４１が剥がれることを抑制することができる。このように、部品搭載面３３に実装素子３７が搭載された制御基板２２は、その両方の表面に、樹脂シート４１が被覆される。
【００５５】
ハウジング本体１１の先端部には通気孔１８ｇが設けられ、ハウジング本体１１の後端部には通気孔１８ｈが設けられている。モータ主軸５３に取り付けられたファン１９により、通気孔１８ｈから流入して通気孔１８ｇから外部に排出される冷却風がハウジング本体１１内に生成される。冷却風は、矢印で示すように、制御基板２２に沿って流れるとともに、モータ１５とモータハウジング５２の間の冷風通路を流れる。これにより、制御基板２２に搭載される実装素子３２，３７とモータ１５が冷却される。
【００５６】
図２４は、制御基板の製造方法の一例を示す概略図であり、図２５は図２４の製造方法により製造された制御基板を示す断面図である。
【００５７】
制御基板２２の部品搭載面３１には、予め実装素子３２が取り付けられており、制御基板２２に設けられた配線には実装素子３２の端子が溶接されている。実装素子３２の表面と側面とを覆うように、実装素子３２には樹脂製のキャップ４０が装着される。キャップ４０は、実装素子３２の表面に対向する天壁面７１と、これと一体となって実装素子３２の側面に対向する側壁面７２とを有し、内部には収容空間７３が形成されている。キャップ４０は、収容空間７３を外部に開口させる開口端面４０ａを有し、開口端面４０ａを部品搭載面３１に突き当てて実装素子３２に装着される。
【００５８】
樹脂シート４１には予めキャップ４０の天壁面７１の対角線方向に延びるスリット７５が形成されており、樹脂シート４１にはスリット７５により４つの舌片７６が形成されている。これにより、樹脂シート４１を制御基板２２の表面に押し付けると、それぞれの舌片７６が折り曲げられて、舌片７６はキャップ４０の側面つまり外周面に当接される。舌片７６を図示しない弾性部材等の治具を押し付けることにより、舌片７６はキャップ４０の外周面に密着する。舌片以外の部分は、部品搭載面３１のうちキャップ４０により覆われていない露出面を覆う。このようにして、制御基板２２の表面にキャップ４０と樹脂シート４１とにより覆った状態のもとで、それぞれ熱硬化性の樹脂からなるキャップ４０と樹脂シート４１とを加熱すると、キャップ４０と樹脂シート４１とが相互に密着した状態で加熱硬化される。このように、実装素子３２と制御基板２２の接続部分（実装素子３２の側面と制御基板２２の部品搭載面３１とにより形成される角部）にキャップ４０の開口端面４０ａが位置し、その周りに樹脂シート４１が位置するため、接続部分に気泡が入り難く、そこから樹脂シート４１が剥がれにくい。そのため、確実に実装素子３２及び制御基板２２を被覆することができる。
【００５９】
図２６は制御基板の製造方法の他の例を示す概略図であり、図２７は図２６の製造方法により製造された制御基板を示す断面図である。
【００６０】
図２６に示される樹脂シート４１には、予め実装素子３２の外周面形状に対応させた貫通孔８１が形成されている。したがって、樹脂シート４１を部品搭載面３１に接触させると、樹脂シート４１が実装素子３２の外周面に突き当てられた状態となって、実装素子３２は貫通孔８１内に入り込んで、樹脂シート４１の表面よりも突出する。このように、樹脂シート４１を部品搭載面３１に密着させた状態のもとで、キャップ４０が実装素子３２に装着される。したがって、キャップ４０の開口端面４０ａは図２７に示されるように、樹脂シート４１に当接する。このようにして、制御基板２２の表面にキャップ４０と樹脂シート４１とにより覆った状態のもとで、それぞれ熱硬化性の樹脂からなるキャップ４０と樹脂シート４１とを加熱すると、キャップ４０と樹脂シート４１とが相互に密着した状態で加熱硬化される。実装素子３２と制御基板２２の接続部分（実装素子３２の側面と制御基板２２の部品搭載面３１とにより形成される角部）に樹脂シート４１（貫通孔８１の面）が位置するだけでは、接続部分に気泡が入り剥がれ易い。しかしながら、樹脂シート４１で被覆した後にキャップ４０で樹脂シート４１の貫通孔８１側端部を押し付けることで、接続部分が確実に被覆されるため、貫通孔８１付近から樹脂シート４１が剥がれることを抑制することができる。図２６および図２７に示した製造方法においては、キャップ４０を実装素子３２に装着すると、樹脂シート４１のうち貫通孔８１の内周部分がキャップ４０により押し付けられて部品搭載面３１に密着する。
【００６１】
図２８は制御基板の製造方法のさらに他の例を示す概略図であり、図２９は図２８の製造方法により製造された制御基板を示す断面図である。
【００６２】
図２８に示した樹脂シート４１には図２４に示した樹脂シート４１と同様にスリット７５が形成されている。図２８に示すように、実装素子３２とキャップ４０との間には中間樹脂シート８２が配置される。中間樹脂シート８２は樹脂シート４１と同様に熱硬化性の樹脂により形成されており、樹脂シート４１と略同様の厚みとなっている。中間樹脂シート８２を実装素子３２の上に配置した状態でキャップ４０を実装素子３２に装着すると、中間樹脂シート８２は、実装素子３２の表面と側面に密着するように、折り曲げられてキャップ４０内に配置される。
【００６３】
キャップ４０が実装素子３２に装着された状態のもとで、図２４に示した製造方法と同様に、樹脂シート４１が制御基板２２の表面に押し付けられる。これにより、それぞれの舌片７６が折り曲げられて、舌片７６はキャップ４０の側面つまり外周面に当接される。舌片以外の部分は、部品搭載面３１のうちキャップ４０により覆われていない露出面を覆う。このようにして、制御基板２２の表面をキャップ４０と樹脂シート４１とにより覆った状態のもとで、それぞれ熱硬化性の樹脂からなるキャップ４０と樹脂シート４１とを加熱すると、キャップ４０と樹脂シート４１とが相互に密着した状態で加熱硬化される。さらに、中間樹脂シート８２も加熱されてキャップ４０と実装素子３２は中間樹脂シート８２により接着される。この場合も、図２６や図２７と同様、樹脂シート４１の剥がれを抑制することができる。
【００６４】
図２６に示したように、樹脂シート４１に貫通孔８１を形成し、キャップ４０の開口端面４０ａを樹脂シート４１に当接させるようにした形態においても、キャップ４０と実装素子３２との間に中間樹脂シート８２を配置するようにしても良い。
【００６５】
本発明は前記実施の形態に限定されるものではなく、その要旨を逸脱しない範囲で種々変更可能である。例えば、制御基板２２が搭載される電動工具としては、上述したインパクトドライバ等に限定されることなく、先端工具をモータにより駆動する形態の電動工具であれば、本発明を適用することができる。
【符号の説明】
【００６６】
１０ａ〜１０ｅ…インパクトドライバ、１０ｆ…ハンマドリル、１０ｇ…丸鋸盤、１０ｈ…グラインダ、１１…ハウジング本体、１２…ハンドル部、１３…駆動部ハウジング、１４…バッテリパック、１５…モータ、１９…ファン、２１…インシュレータ、２２…制御基板、２４…貫通孔、２６…係合部材、２７…係合リブ、２８…基板ケース、３１…部品搭載面、３２…実装素子、３３…部品搭載面、３４…リード線、３５…信号線、３６…通気流路、３７…実装素子、４１…樹脂シート、４２…通路、４３…粘性樹脂、４４…放熱部材、４５…粘性樹脂、５２…モータハウジング、５３…モータ主軸、５５…基台、５６…支持軸、５７…揺動アーム、５８…ブレードカバー、６１…工具ヘッド、６２…グラインダ、７１…天壁面、７２…側壁面、７３…収容空間、７５…スリット、７６…舌片、８１…貫通孔、８２…中間樹脂シート。
【図１】
2016124048.tif 000003
【図２】
2016124048.tif 000004
【図３】
2016124048.tif 000005
【図４】
2016124048.tif 000006
【図５】
2016124048.tif 000007
【図６】
2016124048.tif 000008
【図７】
2016124048.tif 000009
【図８】
2016124048.tif 000010
【図９】
2016124048.tif 000011
【図１０】
2016124048.tif 000012
【図１１】
2016124048.tif 000013
【図１２】
2016124048.tif 000014
【図１３】
2016124048.tif 000015
【図１４】
2016124048.tif 000016
【図１５】
2016124048.tif 000017
【図１６】
2016124048.tif 000018
【図１７】
2016124048.tif 000019
【図１８】
2016124048.tif 000020
【図１９】
2016124048.tif 000021
【図２０】
2016124048.tif 000022
【図２１】
2016124048.tif 000023
【図２２】
2016124048.tif 000024
【図２３】
2016124048.tif 000025
【図２４】
2016124048.tif 000026
【図２５】
2016124048.tif 000027
【図２６】
2016124048.tif 000028
【図２７】
2016124048.tif 000029
【図２８】
2016124048.tif 000030
【図２９】
2016124048.tif 000031